(57)【要約】      （修正有）【課題】コンテンツ配信装置と、コンテンツを再生可能な再生装置がネットワーク接続された環境下で、安定したコンテンツ配信と、確実な著作権保護を実現する。【解決手段】光ディスク装置内に設置された光ディスク内及び該光ディスク以外の記録媒体内に存在するコンテンツの一覧を生成・送信するコンテンツリスト生成・送信手段と、コンテンツ受信装置から送信されるコンテンツ配信要求に対して、該当するコンテンツを該光ディスク装置内に設置された光ディスク内及び光ディスク以外の記録媒体内から探索し、コンテンツ受信装置へ配信するコンテンツ配信手段と、コンテンツ受信装置から送信されるコンテンツ配信要求を受信し、要求されるコンテンツが光ディスクに記録されたコンテンツであり、かつ前記コンテンツ受信装置が該コンテンツ配信装置と同一の建物内に存在しない場合、該コンテンツ配信要求に対するコンテンツ配信は行わない。【選択図】図２
2012256994.tif 000002
【特許請求の範囲】
【請求項１】
コンテンツリスト及びコンテンツをネットワーク配信するコンテンツリスト及びコンテンツ配信装置であって、
該コンテンツを再生可能な光ディスク装置と、該コンテンツを記録可能な光ディスク以外の記録媒体と、
ネットワークを介して接続されるコンテンツ受信装置から送信されるコンテンツリスト取得要求に対して、該光ディスク装置内に設置された光ディスク内及び該光ディスク以外の記録媒体内に存在するコンテンツの一覧を生成・送信するコンテンツリスト生成・送信手段と、
該コンテンツ受信装置から送信されるコンテンツ配信要求に対して、該当するコンテンツを該光ディスク装置内に設置された光ディスク内及び該光ディスク以外の記録媒体内から探索し、該コンテンツ受信装置へ配信するコンテンツ配信手段を有し、
該コンテンツ受信装置から送信されるコンテンツ配信要求を受信し、要求されるコンテンツが光ディスクに記録されたコンテンツであり、かつ前記コンテンツ受信装置が該コンテンツ配信装置と同一の建物内に存在しない場合、
該コンテンツ配信要求に対するコンテンツ配信は行わない事を特徴としたコンテンツリスト及びコンテンツの配信装置。
【請求項２】
請求項１に記載のコンテンツリスト及びコンテンツ配信装置であって、
前記コンテンツ受信装置から送信されるコンテンツリスト取得要求を受信した場合、
前記光ディスク装置内に著作権保護対象コンテンツが記録された光ディスクが装填されており、かつ前記コンテンツ受信装置が該コンテンツ配信装置と同一の建物内に存在しない場合、
前記コンテンツリスト生成・送信手段によって作成するコンテンツリストには光ディスクに記録された著作権保護対象コンテンツは含まない、または、光ディスクに記録された著作権保護対象コンテンツはユーザが選択できないようにコンテンツリストを作成することを特徴としたコンテンツリスト及びコンテンツの配信装置。
【請求項３】
光ディスクに記録されたコンテンツをネットワーク配信するコンテンツ配信装置がネットワークを介して接続されるコンテンツ受信装置へコンテンツリスト及びコンテンツを配信する方法であって、
前記コンテンツ受信装置から送信されるコンテンツリスト取得要求に対して、該光ディスク装置内に設置された光ディスク及び該光ディスク以外の記録媒体内に存在するコンテンツの一覧を生成・送信するコンテンツリスト生成・配信ステップと、
前記コンテンツ受信装置から送信されるコンテンツ配信要求に対して、該当するコンテンツを前記光ディスク装置内に設置された光ディスク内及び該光ディスク以外の記録媒体内から探索し、前記コンテンツ受信装置へ配信するコンテンツ配信ステップを有し、
該コンテンツリスト生成・配信ステップにおいては、
前記光ディスク装置内に光ディスクが装填されているか否かを調査する光ディスク有無調査ステップと、
光ディスク内のコンテンツ情報を取得する光ディスク内コンテンツ情報取得ステップと、
コンテンツ配信装置内のコンテンツ情報を収集しリスト化するコンテンツリスト生成ステップを有し、
該コンテンツ配信ステップにおいては、
前記コンテンツ受信装置から要求されるコンテンツの記録媒体を調査する要求コンテンツ記録媒体調査ステップと、
前記コンテンツ受信装置が前記コンテンツ配信装置と同一の建物内に存在するか否かを調査するコンテンツ受信装置位置調査ステップを有し、
該光ディスク有無調査ステップにおいて、前記光ディスク装置に光ディスクが装填されていることを検知した場合には、該光ディスク内コンテンツ情報取得ステップにおいて、光ディスク内コンテンツの情報を取得し、コンテンツリスト生成ステップにおいて光ディスク内コンテンツ情報をコンテンツリストに追加して前記コンテンツ受信装置へ送信し、
その後、該要求コンテンツ記録媒体調査ステップによって、前記コンテンツ受信装置からの要求コンテンツが光ディスクに記録されたコンテンツであると判定し、さらに該コンテンツ受信装置位置調査ステップによって、前記コンテンツ受信装置が前記コンテンツ配信装置と同一の建物内に存在する判定した場合には、光ディスク内コンテンツをコンテンツ受信装置へ配信し、該コンテンツ受信装置位置調査ステップによって、前記コンテンツ受信装置が前記コンテンツ配信装置と同一の建物内に存在しないと判定した場合には、前記コンテンツ受信装置へ光ディスク内コンテンツを配信しないことを特徴としたコンテンツリスト及びコンテンツの配信方法。
【請求項４】
請求項３に記載のコンテンツリスト及びコンテンツ配信方法において、
光ディスク内コンテンツの著作権保護情報を取得する著作権保護情報取得ステップをさらに有し、
前記コンテンツリスト生成・配信ステップ内の前記光ディスク有無調査ステップにおいて、前記光ディスク装置に光ディスクが装填されていることを検知し、さらに該著作権保護情報取得ステップによって光ディスク内のコンテンツが著作権保護対象外コンテンツと判定した場合に、光ディスク内コンテンツの情報をコンテンツリストに含め、
該著作権保護情報取得ステップによって光ディスク内のコンテンツが著作権保護対象コンテンツと判定した場合に、
前記コンテンツ受信装置位置判定ステップによって、前記コンテンツ受信装置が前記コンテンツ配信装置と同一の建物内に存在すると判定した場合には、光ディスク内コンテンツの情報をコンテンツリストに含め、
前記コンテンツ受信装置位置判定ステップによって、前記コンテンツ受信装置が前記コンテンツ配信装置と同一の建物内に存在しないと判定した場合には、光ディスク内コンテンツの情報をコンテンツリストに含めない、または、光ディスク内コンテンツはユーザが選択できないようにコンテンツリストを作成することを特徴としたコンテンツリスト及びコンテンツの配信方法。
【発明の詳細な説明】
【技術分野】
【０００１】
本発明は、光ディスク及び光ディスク以外の記録媒体に記録されたコンテンツのコンテンツリストとコンテンツ自体をネットワーク配信するコンテンツリスト及びコンテンツの配信装置及び配信方法に関する。
【背景技術】
【０００２】
デジタル映像信号処理技術の発展に伴い、デジタル放送を受信するデジタルチューナ、該デジタルチューナ内蔵テレビ（以下、ＤＴＶ）や、デジタル放送番組を録画・再生するデジタル記録装置（例えば、ＨＤＤレコーダやＤＶＤ（Ｄｉｇｉｔａｌ  Ｖｅｒｓａｔｉｌｅ  Ｄｉｓｃ）レコーダ、ＢＤ(Ｂｌｕ-ｒａｙ  Ｄｉｓｃ)レコーダ、ＮＡＳ（Ｎｅｔｗｏｒｋ  Ａｔｔａｃｈｅｄ  Ｓｔｏｒａｇｅ）等）のデジタルＡＶ装置が次々と製品化されている。
【０００３】
また、ブロードバンド／インターネットの普及により、これらのＰＣやデジタルＡＶ装置に有線／無線ＬＡＮ（Ｌｏｃａｌ  Ａｒｅａ  Ｎｅｔｗｏｒｋ）、ＩＥＥＥ１３９４、ＵＳＢ（Ｕｎｉｖｅｒｓａｌ  Ｓｅｒｉａｌ  Ｂｕｓ）、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などのデジタルインタフェースを搭載し、ネットワークを介して宅内／宅外でデジタルコンテンツを伝送することが可能になってきた。特に宅内に構築されたネットワークを利用してデジタルコンテンツの共有を行うためのガイドラインとしてＤＬＮＡ（Ｄｉｇｉｔａｌ  Ｌｉｖｉｎｇ  Ｎｅｔｗｏｒｋ  Ａｌｌｉａｎｃｅ）が広く普及している。現在、市場にはＰＣを含めた多くのＡＶ装置がＤＬＮＡに対応した製品を発売している。
【０００４】
デジタルＡＶ装置の間でデジタルコンテンツを送信する際には、コンテンツ送信装置側において暗号化を行い、コンテンツ受信装置側との間で復号化のための情報の共有化を行うことによって、送信先であるコンテンツ受信装置以外の機器によってコンテンツが正しく受信されて復号されない様にして、無制限なコピーの作成を防ぐコピープロテクトが実施されている。
【０００５】
このようなコピープロテクトの方法の一例としてデジタルＡＶ機器に取り入れられているものには、例えば特許文献１に記載の方式がある。特許文献１に記載の方式ではコンテンツを「Ｃｏｐｙ  ｆｒｅｅ（制限なくコピー可）」「Ｃｏｐｙ  ｆｒｅｅ  ｗｉｔｈ  ＥＰＮ  ａｓｓｅｒｔｅｄ（出力保護付きで制限なくコピー可）」「Ｃｏｐｙ  ｏｎｅ  ｇｅｎｅｒａｔｉｏｎ（１世代コピー可）」「Ｎｏ  ｍｏｒｅ  ｃｏｐｉｅｓ（再コピー禁止）」「Ｃｏｐｙ  ｎｅｖｅｒ（コピー禁止）」に分類して管理し、録画装置では「Ｃｏｐｙ  ｆｒｅｅ」「Ｃｏｐｙ  ｆｒｅｅ  ｗｉｔｈ  ＥＰＮ  ａｓｓｅｒｔｅｄ」「Ｃｏｐｙ  ｏｎｅ  ｇｅｎｅｒａｔｉｏｎ」のコンテンツだけを記録し、「Ｃｏｐｙ  ｏｎｅ  ｇｅｎｅｒａｔｉｏｎ」のコンテンツは一度記録した後は「Ｎｏ  ｍｏｒｅ  ｃｏｐｉｅｓ」として取り扱い、ネットワーク／バス上では「Ｃｏｐｙ  ｆｒｅｅ」のコンテンツを除いて送信側で暗号化処理を施して伝送を行うことによって、無制限なコンテンツのコピーが行えないようにしている。
【０００６】
特許文献２においては、機器間でのコンテンツ伝送の際に、コンテンツの著作権保護を高める技術が開示されている。
【０００７】
一方、映画や音楽などの映像・音声コンテンツはＢＤ、ＤＶＤ、ＣＤ（Ｃｏｍｐａｃｔ  Ｄｉｓｃ）などの光ディスクへ記録され広く流通している。光ディスクに著作権保護すべきコンテンツが記録される場合には、コピープロテクト技術として、ＡＡＣＳ（Ａｄｖａｎｃｅｄ  Ａｃｃｅｓｓ  Ｃｏｎｔｅｎｔ  Ｓｙｓｔｅｍ）、ＣＳＳ（Ｃｏｎｔｅｎｔ  Ｓｃｒａｍｂｌｅ  Ｓｙｓｔｅｍ）、ＣＰＲＭ（Ｃｏｎｔｅｎｔ  Ｐｒｏｔｅｃｔｉｏｎ  Ｒｅｃｏｒｄａｂｌｅ Ｍｅｄｉａ）などＤＲＭ（Ｄｉｇｉｔａｌ  Ｒｉｇｈｔｓ  Ｍａｎａｇｅｍｅｎｔ）技術が使用されている。
【先行技術文献】
【特許文献】
【０００８】
【特許文献１】特開２００５−２６９２８８
【特許文献２】特開２０１０−１１９１３７
【発明の概要】
【発明が解決しようとする課題】
【０００９】
前記特許文献１及び特許文献２には、ネットワークを介して著作権コンテンツを配信する際の著作権保護を高める発明である。しかし、著作権保護対象コンテンツが光ディスクに記録されている場合は考慮されておらず、安定したコンテンツ配信や確実な著作権保護が行えない可能性がある。
【００１０】
そこで、本発明では、ＢＤ，ＤＶＤ，ＣＤ等の記録媒体を扱う光ディスクドライブを内蔵した、あるいは外付けの光ディスクドライブを利用可能なコンテンツ配信装置と、宅外あるいは宅内に存在する携帯電話やＴＶなどコンテンツを再生可能な再生装置がネットワーク接続された環境下で、安定したコンテンツ配信と、確実な著作権保護を実現することを課題とする。
【課題を解決するための手段】
【００１１】
上記の課題を解決するために、本発明は、例えば特許請求の範囲に記載の構成を採用する。本願は上記課題を解決する手段を複数含んでいるが、その一例を挙げるならば、
コンテンツリスト及びコンテンツをネットワーク配信するコンテンツリスト及びコンテンツ配信装置であって、
該コンテンツを再生可能な光ディスク装置と、該コンテンツを記録可能な光ディスク以外の記録媒体と、
ネットワークを介して接続されるコンテンツ受信装置から送信されるコンテンツリスト取得要求に対して、該光ディスク装置内に設置された光ディスク内及び該光ディスク以外の記録媒体内に存在するコンテンツの一覧を生成・送信するコンテンツリスト生成・送信手段と、
該コンテンツ受信装置から送信されるコンテンツ配信要求に対して、該当するコンテンツを該光ディスク装置内に設置された光ディスク内及び該光ディスク以外の記録媒体内から探索し、該コンテンツ受信装置へ配信するコンテンツ配信手段を有し、
該コンテンツ受信装置から送信されるコンテンツ配信要求を受信し、要求されるコンテンツが光ディスクに記録されたコンテンツであり、かつ前記コンテンツ受信装置が該コンテンツ配信装置と同一の建物内に存在しない場合、
該コンテンツ配信要求に対するコンテンツ配信は行わない事を特徴としたコンテンツリスト及びコンテンツの配信装置。
【発明の効果】
【００１２】
本発明によれば、コンテンツ配信装置の光ディスク内コンテンツの配信における安定性向上を達成することが出来る。また、コンテンツの著作権者の権利を確実に保護することが出来る。
上記以外の課題、構成及び効果は、以下の実施形態の説明により明らかにされる。
【図面の簡単な説明】
【００１３】
【図１】本発明の実施例を表す概略図
【図２】本発明の実施例を表すシステム構成図
【図３】コンテンツ配信装置の実施例を表すフローチャート
【図４】コンテンツ配信装置の実施例を表すフローチャート
【図５】コンテンツ受信装置の実施例を表す画面表示例
【図６】コンテンツ配信装置の実施例を表すフローチャート
【図７】コンテンツ受信装置の実施例を表す画面表示例
【図８】コンテンツ配信装置の実施例を表すフローチャート
【図９】コンテンツ配信装置の実施例を表すフローチャート
【図１０】コンテンツ配信装置の実施例を表すフローチャート
【図１１】コンテンツ配信装置の実施例を表すフローチャート
【図１２】本発明の実施例を表す概略図
【図１３】コンテンツ配信装置の実施例を表すフローチャート
【図１４】コンテンツ配信装置の実施例を表すフローチャート
【図１５】コンテンツ配信装置の実施例を表す構成図
【図１６】コンテンツ受信装置の実施例を表す構成図
【発明を実施するための形態】
【００１４】
以下、本発明の実施例について説明する。
【実施例１】
【００１５】
本実施例は、テレビやＰＣなどのコンテンツ受信装置がネットワークを介してコンテンツ配信装置から送信されるコンテンツを視聴する例である。
【００１６】
図１は、本実施例の全体像を表す。コンテンツ配信装置１００には、光ディスクドライブ１０１と内蔵の記録媒体１０２を備え、ＬＡＮ（Ｌｏｃａｌ  Ａｒｅａ  Ｎｅｔｗｏｒｋ）１０５を介して、コンテンツ受信装置であるテレビ１０３及び１０４と通信することができる。
【００１７】
コンテンツ配信装置１００は、光ディスクドライブ１０１内の装填されている光ディスク及び内蔵の記録媒体１０２に蓄積されているコンテンツを、ネットワークを介してコンテンツ受信装置に対してコンテンツを配信する。一方、コンテンツ受信装置１０３及び１０４は再生コンテンツをコンテンツ配信装置１００に要求し、コンテンツ配信装置１００から受信したコンテンツを再生する情報機器である。
【００１８】
ＬＡＮ１０５においては、ネットワークプロトコルとして標準のＩＰ（Ｉｎｔｅｒｎｅｔ  Ｐｒｏｔｏｃｏｌ）を使用し、上位のトランスポートプロトコルにはＴＣＰ（Ｔｒａｎｓｍｉｓｓｉｏｎ  Ｃｏｎｔｒｏｌ  Ｐｒｏｔｏｃｏｌ）及びＵＤＰ（Ｕｓｅｒ  Ｄａｔａｇｒａｍ  Ｐｒｏｔｏｃｏｌ）を用いる。コンテンツの伝送には更に上位のアプリケーションプロトコル、例えばＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等が使用される。なお、ＩＰにはバージョンの違いとしてＩＰｖ４とＩＰｖ６が有るが、そのどちらかに限定される物ではない。また、図には示していないが、各装置は、ＬＡＮによりハブやルータを介して接続されても良い。
【００１９】
コンテンツ送信装置１００は光ディスクドライブ１０１に装鎮された光ディスク内のコンテンツを、ネットワークを介して接続されたコンテンツ受信装置１０３及び１０４へ送信する。送信するコンテンツが著作権を保護するべきコンテンツである場合には、ネットワーク上での不正コピーや改竄を防止するため、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）を使用する。
【００２０】
図２は、本実施例におけるコンテンツ配信装置１００とコンテンツ受信装置１０３及び１０４の全体構成を説明するブロック図である。
【００２１】
コンテンツ配信装置１００は光ディスクドライブ１０１と内蔵の記録媒体１０２を備え、ストレージ制御部２００、再生情報生成部２０１、コンテンツ送信部２０２、認証部２０３、鍵生成部２０４、暗号化部２０５、ネットワーク通信処理部２０６、トランスコード処理部２０７を備える。また、内蔵の記録媒体１０２には、外部ユーザからはアクセスできないセキュア領域２０８を備える。
【００２２】
ストレージ制御部２００は光ディスクドライブ１０１及び記録媒体１０２と接続され、光ディスクドライブ１０１に装填された光ディスク及び記録媒体１０２に記録された映像音声データと映像音声データの管理情報を読み出す。映像音声データが著作権保護すべきコンテンツであり、ＡＡＣＳ、ＣＰＲＭ、ＣＳＳ等の暗号化されたデータである場合には、ストレージ制御部２００はコンテンツを復号化しながら読み出す。また、ストレージ制御部２００は読み出した管理情報を再生情報生成部２０１へ送り、コンテンツをコンテンツ送信部２０２に送る。管理情報には、映像音声データの種類を特定するための情報（例えば、ＩＦＯ  Ｆｉｌｅ）や、映像音声データのシーンやタイトルに関する情報（例えば、Ｃｌｉｐ  Ｉｎｆｏｒｍａｔｉｏｎ  Ｆｉｌｅ、Ｐｌａｙｌｉｓｔ  Ｆｉｌｅ）が含まれている。
【００２３】
再生情報生成部２０１はストレージ制御部２００から読出した管理情報を、ＤＬＮＡやＤＴＣＰ−ＩＰで指定されたフォーマットに変換する。例えば、後述のコンテンツ配信装置１００がコンテンツ再生装置１０３／１０４に対してコンテンツリストやその他の付加情報を送信するために、前記管理情報に含まれるコンテンツ名やフォーマット、日時などの情報をＤＬＮＡ準拠の形式に変換する。また各コンテンツのコピー制御情報（Ｃｏｐｙ  ｎｅｖｅｒやＣｏｐｙ  ｏｎｅ  ｇｅｎｅｒａｔｉｏｎ、コピー可の個数など）をＤＬＮＡやＤＴＣＰ−ＩＰ準拠の形式に変換する。ＤＴＣＰ−ＩＰを使用してコンテンツの送受信をおこなうと、不正コピーを防止しつつデータの送受信を行うことができる。これにより、光ディスクドライブ１０１に装填された光ディスクに記録されたコンテンツを不正にコピーされることなく他の端末に送信することができ、コンテンツの著作権者の権利を守ることができる。
【００２４】
コンテンツ送信部２０２は、ストレージ制御部２００から取得するコンテンツの映像音声データをＤＴＣＰ−ＩＰ規格に準拠した構成で暗号化部２０５へ送信する。必要に応じて、前記再生情報生成部２０１から送信される管理情報も暗号化部２０５へ送信しても良い。
【００２５】
認証部２０３は再生情報生成部２０１と鍵生成部２０４、ネットワーク通信処理部２０６に接続されている。認証部２０３は、ネットワークを介して著作権保護対象のコンテンツを送信するために、他のＡＶ装置（すなわち、コンテンツ受信装置１０３及び１０４）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、該認証プロトコルに必要な情報は鍵生成部２０４から取得する。
【００２６】
鍵生成部２０４は、前記認証部２０３で共有した鍵を元に、コンテンツの暗号化に必要な鍵情報を生成する。
【００２７】
暗号化部２０５はコンテンツ送信部２０２と鍵生成部２０４とネットワーク信号処理部２０６と接続されている。暗号化部２０５は鍵生成部２０４の鍵情報を用いてコンテンツの暗号化処理を行う。
【００２８】
ネットワーク通信処理部２０６はＨＴＴＰ／ＲＴＰ／ＴＣＰ／ＵＤＰ／ＩＰなどの通信プロトコルスタックが実装されており、送信データに各種プロトコルのヘッダを付与しネットワークで接続した他の機器に対して（コンテンツ受信装置１０３及び１０４）コンテンツや必要に応じてその他の管理情報を送信する。また、コンテンツ受信装置１０３及び１０４との認証に必要なデータも送受信する。
【００２９】
トランスコード処理部２０７はストレージ制御部２００から読み出されたコンテンツデータを復号し、デジタルビデオ信号の画素値データへ変換する。続いて画素値データを元のコンテンツとは異なる符号化方式を用いて符号化する。符号化方式にはＭＰＥＧ２（Ｍｏｔｉｏｎ  Ｐｉｃｔｕｒｅ  Ｅｘｐｅｒｔｓ  Ｇｒｏｕｐ  ２）やＨ．２６４／ＭＰＥＧ４  ＡＶＣ（Ａｄｖａｎｃｅｄ  Ｖｉｄｅｏ  Ｃｏｄｉｎｇ）などの方式が存在する。
【００３０】
セキュア領域２０８は、ユーザや専用のソフトウェア（アプリケーションやドライバなど）以外のソフトウェアからアクセスすることが出来ない暗号化された領域である。図２では内蔵の記録媒体１０２内の別領域として存在しているが、必ずしも記録媒体１０２内に存在しなくてもよい。内蔵記録媒体１０２の別パーティションとしてセキュア領域を確保しても良いし、前記内蔵記録媒体１０２とは別の記録媒体を用意しても良い。但しセキュア領域２０８は光ディスク以外の媒体を用い、ＨＤＤ，iＶＤＲ（Ｉｎｆｏｒｍａｔｉｏｎ Ｖｅｒｓａｔｉｌｅ Ｄｉｓｋ ｆｏｒ Ｒｅｍｏｖａｂｌｅ ｕｓａｇｅ）、ＳＳＤ（Ｓｏｌｉｄ  Ｓｔａｔｅ  Ｄｒｉｖｅ），フラッシュメモリなどを使用可能である。
コンテンツ受信装置１０３及び１０４には、ネットワーク通信処理部２０９、認証部２１０、鍵生成部２１１、復号化部２１２、再生情報取得部２１３、コンテンツ受信部２１４、映像音声デコーダ２１５、デジタル入出力制御部２１６、アナログ入出力制御部２１７を備える。
【００３１】
ネットワーク通信処理部２０９は、コンテンツ配信装置１００とＬＡＮを介して接続されている。ネットワーク通信処理部２０９はＨＴＴＰ／ＲＴＰ／ＴＣＰ／ＵＤＰ／ＩＰなどの通信プロトコルスタックが実装されており、コンテンツ配信装置１００からの受信データに付与されている各種プロトコルのヘッダを除去し復号化部２１２へコンテンツ及びその他の管理情報を送る。また、コンテンツ配信装置１００との認証に必要なデータも送受信する。
【００３２】
認証部２１０はネットワーク通信処理部２０９及び鍵生成部２１１と接続されている。認証部２１０は、ネットワーク接続された他のＡＶ装置（コンテンツ配信装置１００）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、認証の際に必要な情報は鍵生成部２１１から取得する。
【００３３】
鍵生成部２１１は、前記認証部２１０で共有した鍵を元に、コンテンツの復号化に必要な鍵情報を生成する。
【００３４】
復号化部２１２は鍵生成部２１１とコンテンツ受信部２１４と接続されている。復号化部２１２は鍵生成部２１１の鍵情報を用いてコンテンツの復号化処理を行う。
【００３５】
再生情報取得部２１３は、コンテンツ送信装置１００の再生情報生成部２０１で生成された再生情報をコンテンツ受信部２１４から受信し、後述する映像音声デコーダ２１５と連携して再生情報に基づいてデータを再生制御する。
【００３６】
コンテンツ受信部２１４は、復号化部２１２から受信したコンテンツから重畳された再生情報を取り出し再生情報取得部２１３に送信する。コンテンツ自体は映像音声デコーダ２１５に送られる。
【００３７】
映像音声デコーダ２１５はＭＰＥＧ２やＨ．２６４／ＭＰＥＧ４  ＡＶＣなどの各種動画フォーマットに符号化されたコンテンツを復号し、デジタル入出力制御部２１６、またはアナログ入出力制御部２１７へ送る。
【００３８】
デジタル入出力制御部２１６は映像音声デコーダ２１５でデコードされたデジタルデータを表示装置へ出力する。表示装置との接続にはＨＤＭＩやＤＶＩ（Ｄｉｇｉｔａｌ  Ｖｉｓｕａｌ  Ｉｎｔｅｒｆａｃｅ）などデジタルデータの入出力可能なケーブル・端子を用いる。
【００３９】
アナログ入出力制御部２１７は映像音声デコーダ２１５でデコードされたデジタルデータをＤ／Ａ変換することでアナログ情報に変換し、表示装置へ出力する。表示装置との接続にはＲＣＡ端子やＤ端子などアナログ情報の入出力可能なケーブル・端子を用いる。
【００４０】
光ディスクドライブ１０１に装填される光ディスクは、ＤＶＤやＢＤなどの映画や放送番組、インターネット経由で配信される番組などのコンテンツや該コンテンツに関する情報、プログラム等が記録されている事を想定している。内蔵の記録媒体１０２は、ＤＶＤやＢＤ以外のＳＤカードやＨＤＤ、半導体メモリなどさまざまな媒体があり、映像音声コンテンツや映像コンテンツ、音声コンテンツ、静止画、ＰＣで作成した文書、各種プログラムなどを記録している。
ここで本発明の特徴を示す一実施例を、図３〜７を用いて説明する。なお、本実施例の説明ではコンテンツ受信装置１０３を使用するが、コンテンツ受信装置１０４を含む他のＡＶ装置を使用しても同様の効果が得られる。
【００４１】
図３は、コンテンツ配信装置１００内に蓄積されたコンテンツを配信するまでのフローチャートである。
【００４２】
コンテンツ配信装置１００は、ネットワーク接続されたＡＶ装置（コンテンツ受信装置１０３）からネットワーク通信処理部２０６を介してコンテンツリスト取得要求を受信すると、ストレージ制御部２００を用いて光ディスクドライブ１０１に装填された光ディスク及び内蔵の記録媒体１０２に記録されたコンテンツに関する情報（例えば、コンテンツの名称、記録フォーマット、容量、コンテンツの取得ＵＲＬ（Ｕｎｉｆｏｒｍ Ｒｅｓｏｕｒｃｅ Ｌｏｃａｔｏｒ）やポート番号、著作権保護対象か否かを示すフラグ、認証処理を実行するためのポート番号など）を収集し、コンテンツリストを生成する。コンテンツリストはネットワークを介して、要求元であるコンテンツ受信装置１０３へ送信する（ステップＳ３０１）。
【００４３】
続いてコンテンツ受信装置１０３からネットワークを介してコンテンツ配信要求を受信すると、コンテンツ配信装置１００は、該コンテンツ配信要求に含まれるコンテンツ情報を解析し、光ディスクドライブ１０１に装填された光ディスク及び内蔵の記録媒体１０２から要求コンテンツを探索する。続いて、要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ３０２）。
【００４４】
ここで、前記要求コンテンツが著作権保護すべきコンテンツである場合は、認証部２０３を用いてコンテンツ受信装置１０３との間で所定の認証処理を実行し、該認証処理に成功した場合のみ該コンテンツ受信装置１０３との間で鍵情報を共有する。そして、鍵生成部２０４を用いて前記共有した鍵情報をベースにコンテンツを暗号化するための暗号鍵を生成し、ストレージ制御部２００で読み出されたコンテンツを暗号化部２０７を用いて該暗号鍵で暗号化し、必要に応じて所定のヘッダ（例えば、Ｃｏｐｙ ｎｅｖｅｒやＮｏ ｍｏｒｅ  ｃｏｐｉｅｓなどのコピー制御情報やデータ長、前記暗号鍵に関連した情報など）を付加して送信する。上記の認証処理を実行するタイミングは、ステップＳ３０１でコンテンツ受信装置１０３が受信したコンテンツリストの中から所望のコンテンツを選択し、該コンテンツが著作権保護対象であるか否かを判定し、その結果が著作権保護対象である場合に、ステップＳ３０２でコンテンツ配信装置１００に対してコンテンツ配信要求を発行する前に、該コンテンツ配信装置１００との間で認証処理を実施しても良い。
【００４５】
図４は、図３のステップＳ３０１のコンテンツリスト生成・配信処理を詳細に説明したフローチャートである。
【００４６】
コンテンツ配信装置１００は、コンテンツ受信装置１０３からネットワークを介してコンテンツリスト取得要求を受信する（ステップＳ４０１）。
【００４７】
次に、光ディスクドライブ１０１に光ディスクが装填されているか否かを調査する（ステップＳ４０２）。
【００４８】
前記ステップＳ４０２の結果、光ディスクが光ディスクドライブ１０１内に装着されていない場合、ステップＳ４０４に遷移する。
【００４９】
前記ステップＳ４０２の結果、光ディスクドライブ１０１に光ディスクが装填されている場合は、光ディスクドライブ１０１に装着されている光ディスク内に記録されているコンテンツに関する情報を収集する（ステップＳ４０３）。コンテンツに関する情報とは、コンテンツのファイル名、コンテンツの映像フォーマット、コンテンツの再生時間など、コンテンツリスト生成に必要な情報のことである。
【００５０】
次に、内蔵の記録媒体１０２内に記録されているコンテンツに関する情報を収集する（ステップＳ４０４）。
【００５１】
そして、前記ステップＳ４０３及びステップＳ４０４で収集した情報を元にコンテンツリストを生成する（ステップＳ４０５）。
【００５２】
最後に、コンテンツ受信装置１０３に対してコンテンツリストを送信する。（ステップＳ４０６）
前記ステップＳ４０３において、光ディスク内のコンテンツ情報を取得し、光ディスク内のコンテンツの情報を含めたコンテンツリストをコンテンツ受信装置に送ることにより、ユーザはコンテンツ受信装置から光ディスク内コンテンツを要求・視聴することが可能である。
【００５３】
図５は、コンテンツ受信装置１０３におけるコンテンツ選択画面の一例である。コンテンツ受信装置はコンテンツ配信装置からコンテンツリストを受信し、コンテンツ選択画面を作成してユーザへ表示する。ルートコンテナ５００の下層にはビデオ５０１、写真５０２などのコンテンツ種類に分類したコンテナがある。さらに例えばビデオ５０１の下層にはＨＤＤ５０３やＢＤ／ＤＶＤ５０５などといったコンテンツ配信装置内の記録媒体によって分類したコンテナが表示される。ＨＤＤ５０３やＢＤ／ＤＶＤ５０５の下層にはコンテンツ名やファイル名などコンテンツ自体を表す文字列が表示される。例えば、サッカー５０４やチャプタ１  ５０６とユーザに表示する。ユーザはコンテンツ受信装置の入力装置を用いて希望のコンテンツ（サッカー５０４またはチャプタ１  ５０６など）を選択することにより、コンテンツを要求・視聴することが可能である。
【００５４】
図６は、図３のステップＳ３０２のコンテンツ配信処理を詳細に説明したフローチャートである。
【００５５】
コンテンツ配信装置１００とコンテンツ受信装置１０３は、必要に応じて前記認証処理を実行し、コンテンツ暗号／復号に必要な鍵情報を共有した後、コンテンツ配信装置１００はコンテンツ受信装置１０３からネットワークを介してコンテンツ配信要求を受信する（ステップＳ６０１）。
【００５６】
コンテンツ配信装置１００は要求されたコンテンツが光ディスクドライブ１０１に装填された光ディスクに記録されたコンテンツか否かを調査する（ステップＳ６０２）。
【００５７】
前記ステップＳ６０２で確認した結果が光ディスクに記録されたコンテンツではない場合は、要求されたコンテンツが内蔵の記録媒体１０２に記録されたコンテンツか否かを調査する（ステップＳ６０３）。その結果、内蔵の記録媒体１０２に記録されたコンテンツではない場合、コンテンツ受信装置１０３に対してコンテンツ配信不可である情報と必要に応じて不可原因を送信し、処理を終了する（ステップＳ６０５）。内蔵の記録媒体１０２に記録されたコンテンツである場合は、ステップＳ６０６に遷移する。
【００５８】
前記ステップＳ６０２で確認した結果が光ディスクに記録されたコンテンツである場合、光ディスクドライブ１０１に装填された光ディスクに記録されたいずれかのコンテンツがコンテンツ受信装置１０３を含むコンテンツ受信装置に対して配信中か否かを調査する（ステップＳ６０４）。その結果、光ディスク内に記録されたいずれかのコンテンツが配信中であるならば、コンテンツ受信装置１０３に対してコンテンツ配信不可である情報と必要に応じて不可原因を送信し、処理を終了する（ステップＳ６０５）。要求コンテンツが配信中でないならば、ステップＳ６０６へ遷移する。
【００５９】
前記ステップＳ６０３及び前記ステップＳ６０４で、要求されたコンテンツが内蔵の記録媒体１０２内のコンテンツあるいは現在配信中でない光ディスク内のコンテンツの場合は、該要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ６０６）。ここで、前記読み出した要求コンテンツは、必要に応じてトランスコード処理部２０７で前記コンテンツ受信装置１０３が受信可能な形式にトランスコードした後、あるいはトランスコードしながら送信する。また、要求コンテンツが著作権保護すべきコンテンツである場合は、前記読み出した要求コンテンツあるいはトランスコード後／トランスコード中の要求コンテンツを、ＤＴＣＰ−ＩＰ規格に準拠した形式で前記ステップＳ６０１の認証処理で共有した鍵情報を元に、読み出されたコンテンツを暗号化部２０７によって暗号化して送信する。
【００６０】
ステップＳ６０４及びステップＳ６０５において、光ディスク内のコンテンツが既に配信中の状況下で、再び同一光ディスク内のいずれかのコンテンツが要求された場合には、後から受信したコンテンツ配信要求に対しては要求コンテンツを配信せず、コンテンツ配信不可情報をコンテンツ受信装置１０３へ送信することによって、光ディスクのＳｅｅｋ処理の多発を防ぎ、既存のコンテンツ配信処理の安定性を確保することが可能である。
【００６１】
図７は、コンテンツ受信装置１０３及び１０４において、コンテンツ配信装置からコンテンツ配信不可情報を受信した場合の表示例である。コンテンツ受信装置１０３及び１０４の表示画面には図７の例のようにコンテンツが配信できない旨の文言をユーザに表示する。これにより、ユーザは要求したコンテンツが視聴できない理由を知ることが可能である。
【００６２】
ここで、前記ステップＳ６０４では、光ディスク内のいずれかのコンテンツを現在送信中か否かを判定し、送信中でない場合のみ要求コンテンツを前記コンテンツ受信装置１０３に送信しているが、同時に配信可能な数に制限を設け、該制限数を越えない範囲で該コンテンツを送信する方法もある。これにより、コンテンツ配信装置１００側のハードウェア及びソフトウェアの性能に最適なコンテンツ配信を実現できる。
【００６３】
以上から、本実施例の特徴は、コンテンツ配信装置１００に光ディスクが挿入されていた場合、該光ディスクに記録されているコンテンツをコンテンツリストの中に含めてコンテンツ受信装置１０３／１０４に対して送信することである。また、前記コンテンツ受信装置１０３／１０４が前記コンテンツリストの中から前記光ディスク内のコンテンツを選択し、コンテンツ配信装置１００に対して配信要求を発行した場合、該コンテンツ配信装置１００は該光ディスク内のいずれかのコンテンツを現在配信中か否かを確認し、配信中でなければ該要求されたコンテンツを配信することである。これにより、コンテンツ受信装置はネットワーク越しにＢＤやＤＶＤに格納されたコンテンツを視聴することができ、またコンテンツ配信装置は光ディスクのＳｅｅｋ処理の多発を防ぎ、安定したコンテンツ配信処理を実行することが可能である。
【００６４】
ここで、本実施例では、コンテンツ受信装置１０３／１０４からコンテンツ配信装置１００に対してコンテンツリスト送信要求、あるいはコンテンツ配信要求を発行しているが、コンテンツ配信装置１００からコンテンツ受信装置１０３／１０４に対してコンテンツリスト受信要求、あるいはコンテンツ受信要求を発行しても良い。また、ネットワーク上に存在する機器の発見については、ＵＰｎＰ（Ｕｎｉｖｅｒｓａｌ Ｐｌｕｇ  ａｎｄ  Ｐｌａｙ）などの既存の方法を使用すれば良い。
【実施例２】
【００６５】
本発明の特徴を示す一実施例を、図８を用いて説明する。
【００６６】
図８は、図３のステップＳ３０１のコンテンツリスト生成・配信処理を詳細に説明したフローチャートである。
【００６７】
コンテンツ配信装置１００は、コンテンツ受信装置１０３からネットワークを介してコンテンツリスト取得要求を受信する（ステップＳ８０１）。
【００６８】
これに対して、コンテンツ配信装置１００は、光ディスクドライブ１０１に光ディスクが装填されているか否かを調査する（ステップＳ８０２）。
【００６９】
その結果、光ディスクが光ディスクドライブ１０１内に装着されていない場合は、ステップＳ８０５に遷移し、内蔵の記録媒体１０２内に記録されているコンテンツに関する情報を収集する。
【００７０】
一方、光ディスクドライブ１０１に光ディスクが装填されている場合は、光ディスクドライブ１０１に装填された光ディスク内のいずれかのコンテンツがコンテンツ受信装置１０３を含むコンテンツ受信装置に対して配信中か否かを調査する（ステップＳ８０３）。もし、いずれかのコンテンツが配信中であるならば、ステップＳ８０５へ遷移する。
【００７１】
前記ステップＳ８０３でどのコンテンツも配信中でないならば、光ディスクドライブ１０１に装着されている光ディスク内に記録されているコンテンツに関する情報を収集する（ステップＳ８０４）。
【００７２】
光ディスク内コンテンツの情報収集後は、内蔵の記録媒体１０２内に記録されているコンテンツに関する情報を収集する（ステップＳ８０５）。
【００７３】
そして、前記ステップＳ８０４及びステップＳ８０５で収集した情報を元にコンテンツリストを生成する（ステップＳ８０６）。
【００７４】
最後にコンテンツ受信装置１０３または１０４に対してコンテンツリストを送信する（ステップＳ８０７）。
【００７５】
ここで、前記ステップＳ８０３では、光ディスク内のいずれかのコンテンツを現在送信中か否かを判定し、送信中でない場合のみ光ディスク内のコンテンツの情報をコンテンツリストに含めて前記コンテンツ受信装置１０３に送信しているが、同時に配信可能な数に制限を設け、該制限数を越えない範囲で該コンテンツの情報をコンテンツリストに含めて送信する方法もある。
【００７６】
以上により、光ディスク内のコンテンツがコンテンツ受信装置へ配信中であるか否かを調査することによって、コンテンツ配信装置１００が配信できるもののみをコンテンツリストに含めることが可能となり、ユーザが希望のコンテンツを選択したにもかかわらず、選択したコンテンツを視聴できないという事態を防ぐことが出来る。
【実施例３】
【００７７】
本発明の特徴を示す一実施例を、図９〜１１を用いて説明する。
【００７８】
図９は、図３のステップＳ３０１のコンテンツリスト生成・配信処理を詳細に説明したフローチャートである。
【００７９】
コンテンツ配信装置１００は、システムや特定ソフトウェアの起動時あるいはユーザ指示などの所定のタイミングで光ディスクドライブ１０１に光ディスクが装填されているか否かを調査する（ステップＳ９０１）。
【００８０】
もし光ディスクが光ディスクドライブ１０１内に装着されていない場合は、ステップＳ９０４に遷移する。
【００８１】
一方、光ディスクドライブ１０１に光ディスクが装填されている場合は、光ディスクドライブ１０１に装填された光ディスク内のコンテンツが内蔵記録媒体１０２内のセキュア領域２０８へコピー済みかどうかを調査する（ステップＳ９０２）。光ディスク内コンテンツがセキュア領域２０８へコピー済みであった場合、ステップＳ９０４へ遷移する。光ディスク内コンテンツがセキュア領域２０８へコピーされていなかった場合、光ディスクドライブ１０１に装填された光ディスク内のコンテンツを内蔵記録媒体１０２内のセキュア領域２０８へコピーする（ステップＳ９０３）。ここで、前記ステップＳ９０３では、光ディスク内のコンテンツが著作権保護すべきコンテンツであるか否かを判断し、ＡＡＣＳ、ＣＰＲＭ、ＣＳＳなどの方式で暗号化されている場合には、ストレージ制御部２００が、光ディスクからコンテンツを読み出す際に復号化し、さらにセキュア領域に書き込む際に再度ＡＡＣＳ、ＣＰＲＭ、ＣＳＳなどの方式や、或いは独自の暗号方式で暗号化する。セキュア領域に書き込む際の暗号化方式は、光ディスクに記録されているコンテンツと同じ方式でもよいし、変更してもよい。また、セキュア領域に書き込む際に使用する暗号化の情報は、コンテンツを記録するセキュア領域とは別の領域（記録媒体やパーティション）で管理することとし、コンテンツとは異なる暗号化方式で該情報を暗号化しておくことが望ましい。また、ステップＳ９０３では、コンテンツが著作権保護する必要のないコンテンツである場合には、セキュア領域以外の領域へコピーする方法でもよい。
【００８２】
次に、前記ステップＳ９０３でセキュア領域への全コピーあるいは所定のサイズ分のコピーが終了した後、コンテンツ配信装置１００がコンテンツ受信装置１０３または１０４からネットワークを介してコンテンツリスト取得要求を受信すると（ステップＳ９０４）、内蔵の記録媒体１０２内に記録されているコンテンツに関する情報を収集する（ステップＳ９０５）。この際、セキュア領域２０８内にコピーされたコンテンツに関しても同様にコンテンツ情報を収集する。
【００８３】
そして、ステップＳ９０５で収集した情報を元にコンテンツリストを生成し（ステップＳ９０６）、最後にコンテンツ受信装置１０３または１０４に対してコンテンツリストを送信する（ステップＳ９０７）。
【００８４】
以上から、ステップＳ９０３において、光ディスク内のコンテンツをセキュア領域２０８へコピーすることによって、コンテンツ受信装置１０３と１０４から同時に光ディスク内コンテンツの配信を要求された際に、直接光ディスクからコンテンツを読み出さず、セキュア領域から読み出すことが可能である。この場合、セキュア領域に記録されたコンテンツが暗号化されたコンテンツである場合には、必要に応じて前記の認証処理を実施し、該認証処理に成功した場合のみコンテンツ配信装置とコンテンツ受信装置間で鍵情報を共有する。そして、ストレージ制御部２００は暗号化されたコンテンツを再度復号し、さらにＤＴＣＰ−ＩＰ準拠で前記鍵情報を用いて暗号化・フォーマット変換してコンテンツを送信する。この際、複数のコンテンツ受信装置から光ディスク内コンテンツの配信を要求された場合の転送速度低下の原因であるＳｅｅｋ処理の発生を防ぐことが出来る。
【００８５】
また、セキュア領域２０８に暗号化して書き込むことによって、光ディスクに記録されているコンテンツが著作権保護すべきコンテンツであっても、ユーザや特定のソフトウェア以外のソフトウェアからはセキュア領域内のコンテンツを読み出せないため、不正コピーを防止することが出来、コンテンツの著作権者の権利を守ることができる。
【００８６】
なお、コンテンツ配信装置１００が複数のコンテンツ受信装置に対して同時にセキュア領域の著作権保護対象コンテンツを配信する場合は、前記認証処理で共有する鍵情報をコンテンツ受信装置毎に異なる内容にする方法もある。
【００８７】
図１０も同様に図３のステップＳ３０１のコンテンツリスト生成・配信処理を詳細に説明したフローチャートである。
【００８８】
コンテンツ配信装置１００は、ステップＳ１００１で光ディスクドライブ１０１に光ディスクが装填されているか否かを調査する。もし光ディスクが光ディスクドライブ１０１内に装着されていない場合、ステップＳ１００６に遷移する。一方、光ディスクドライブ１０１に光ディスクが装填されている場合、ステップＳ１００２へ遷移し、光ディスクドライブ１０１に装填された光ディスク内のコンテンツが内蔵記録媒体１０２内のセキュア領域２０８へコピー済みかどうかを調査する（ステップＳ１００２）。光ディスク内コンテンツがセキュア領域２０８へコピー済みであった場合、ステップＳ１００６へ遷移する。光ディスク内コンテンツがセキュア領域２０８へコピーされていなかった場合、セキュア領域の残容量と光ディスク内コンテンツのファイルサイズを比較する（ステップＳ１００３）。セキュア領域の残容量が光ディスク内コンテンツのファイルサイズより小さい場合、ステップＳ１００４へ遷移する。ステップＳ１００４では光ディスクドライブ１０１に装填された光ディスク内に記録されたオリジナルのコンテンツよりも小さいファイルサイズとするために、トランスコード処理部２０７によってトランスコード処理を行い、ステップＳ１００５へ遷移する。ファイルサイズを小さくするためのトランスコード処理には、より高い圧縮率を実現する圧縮方式への変換、ビットレート変換、ダウンスケーリングなどがある。ステップＳ１００４で、セキュア領域の残容量が光ディスク内コンテンツのファイルサイズより多い場合、トランスコード処理は行わず、ステップＳ１００５へ遷移する。ステップＳ１００５において、コンテンツを内蔵記録媒体１０２内のセキュア領域２０８へコピーし、ステップＳ１００６へ遷移する。ステップＳ１００５では、コンテンツが著作権保護する必要のないコンテンツである場合には、セキュア領域以外の領域へコピーする方法でもよい。ステップＳ１００６では、コンテンツ受信装置１０３または１０４からネットワークを介してコンテンツリスト取得要求を受信する。続いて、ステップＳ１００７で、内蔵の記録媒体１０２内に記録されているコンテンツに関する情報を収集する。この際、セキュア領域２０８内にコピーされたトランスコード後のコンテンツに関しても同様にコンテンツ情報を収集する。続いてステップＳ１００８では、ステップＳ１００７で収集した情報を元にコンテンツリストを生成する。最後にステップＳ１００９でコンテンツ受信装置１０３または１０４に対してコンテンツリストを送信する。
【００８９】
以上から、ステップＳ１００４において、光ディスク内のオリジナルのコンテンツをトランスコードしてファイルサイズを縮小することによって、必要なセキュア領域の容量を小さくすることが出来、内蔵の記録媒体１０２の容量を有効に使うことが可能である。また、コンテンツのファイルサイズが小さくなることによって、コンテンツ受信装置１０３及び１０４へネットワークを介してコンテンツを配信する際にネットワークのトラフィックを小さくすることが出来、より安定した再生を可能とする。また、セキュア領域２０８へコピーすることによって、コンテンツ受信装置１０３と１０４から同時に光ディスク内コンテンツの配信を要求された場合、直接光ディスクからコンテンツを読み出さず、セキュア領域から要求コンテンツを読み出すことが出来る。この際、複数のコンテンツ受信装置から光ディスク内コンテンツの配信を要求された場合の転送速度低下の原因であるＳｅｅｋ処理の発生を防ぐことが出来る。
【００９０】
ここで、前記の説明では、前記ステップＳ１００３でセキュア領域の残容量と光ディスク内のコンテンツ・サイズを比較し、セキュア領域の残容量が光ディスク内のコンテンツ・サイズより小さい場合に、前記ステップＳ１００４で該コンテンツのトランスコードを実施しているが、ユーザによるモード設定やコンテンツ受信装置１０３／１０４の種別（モバイル端末や携帯電話）やアクセス条件（宅外からのアクセスや低品質な通信回線使用時）などによりトランスコードを実施する方法もある。
【００９１】
図１１は、ユーザが光ディスクドライブに装填されている光ディスクの取り出し操作をした場合のフローチャートである。光ディスクドライブ１０１はステップＳ１１０１において、ユーザから光ディスクのＥｊｅｃｔ要求を受け付ける。続いてステップＳ１１０２において、内蔵の記録媒体１０２内にあるセキュア領域２０８にコンテンツがあるか否かを調査する。もしセキュア領域２０８内にコンテンツがある場合、ステップＳ１１０３でセキュア領域２０８内のコンテンツがコンテンツ受信装置１０３及び１０４に対して配信中か否かを調査する。配信中でない場合、ステップＳ１１０４でセキュア領域２０８内のコンテンツを削除し、ステップＳ１１０６に遷移する。ステップＳ１１０３でセキュア領域２０８内のコンテンツがコンテンツ受信装置１０３及び１０４に対して配信中である場合、ステップＳ１１０５でコンテンツ配信を停止し、ステップＳ１１０４へ遷移し、セキュア領域２０８内のコンテンツを削除する。
【００９２】
一方、ステップＳ１１０２において、セキュア領域２０８にコンテンツがない場合、ステップＳ１１０６へ遷移する。ステップＳ１１０６では、Ｅｊｅｃｔ処理を実行し、光ディスクの取り出しを行う。
【００９３】
以上から、ステップＳ１１０４でセキュア領域２０８内のコンテンツを削除することによって、セキュア領域２０８に存在したコンテンツが著作権保護すべきコンテンツのコピーであった場合に、コピーを削除することが出来、著作権保護を確実に行うことが可能である。ユーザからはセキュア領域内のコンテンツを読み出すことが出来ないため、コピーを削除しなくても著作権を保護することは出来るが、不要になったコンテンツは確実に削除することによって、不正コピーを防止することが出来、確実にコンテンツの著作権者の権利を守ることができる。
【００９４】
また、ステップＳ１１０３でセキュア領域内コンテンツが配信中の場合は、コンテンツ配信が終了するまで、Ｅｊｅｃｔを禁止する方法でも良い。
【００９５】
また、セキュア領域のコンテンツを確実に削除するため、セキュア領域内のコンテンツへのアクセスが一定時間無い場合、自動的にセキュア領域内のコンテンツを削除する方法でも良い。
【実施例４】
【００９６】
本発明の特徴を示す一実施例を、図１２〜１４を用いて説明する。
【００９７】
本実施例は、宅外において携帯端末などのコンテンツ受信装置からインターネットを介してコンテンツ配信装置内に記録されているコンテンツを視聴する例である。
【００９８】
図１２は、図１のホームネットワーク環境に加えて、外出先や友人宅などの宅外からリモートアクセスする携帯端末１２００とインターネット１２０１を追加したものである。携帯端末１２００はインターネット１２０１を介して、宅内のネットワークに接続されたコンテンツ配信装置１００と通信することが可能である。携帯端末１２００はコンテンツ受信装置１０３及び１０４と同様に、再生コンテンツをコンテンツ配信装置１００に要求し、コンテンツ配信装置１００から受信したコンテンツを再生する情報機器である。
【００９９】
インターネット１２０１はＬＡＮ１０５と同様に、ネットワークプロトコルとして標準のＩＰ（Ｉｎｔｅｒｎｅｔ  Ｐｒｏｔｏｃｏｌ）を使用し、上位のトランスポートプロトコルにはＴＣＰ（Ｔｒａｎｓｍｉｓｓｉｏｎ  Ｃｏｎｔｒｏｌ  Ｐｒｏｔｏｃｏｌ）及びＵＤＰ（Ｕｓｅｒ  Ｄａｔａｇｒａｍ  Ｐｒｏｔｏｃｏｌ）を用いる。コンテンツの伝送には更に上位のアプリケーションプロトコル、例えばＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等が使用される。なお、ＩＰにはバージョンの違いとしてＩＰｖ４とＩＰｖ６が有るが、そのどちらかに限定される物ではない。また、図には示していないが、携帯端末は、ハブやルータ、各種サーバ装置を介して接続される。
【０１００】
図１３は、図３のステップＳ３０２のコンテンツ配信処理を詳細に説明したフローチャートである。
【０１０１】
コンテンツ配信装置１００と携帯端末１２００は、必要に応じて前記認証処理あるいはリモートアクセス用に予め定められた認証処理を実行し、コンテンツの暗号／復号に必要な鍵情報を共有した後、コンテンツ配信装置１００は携帯端末１２００からインターネット１２０１を介してコンテンツ配信要求を受信する（ステップＳ１３０１）。
【０１０２】
コンテンツ配信装置１００は要求されたコンテンツが光ディスクドライブ１０１に装填された光ディスクに記録されたコンテンツか否かを調査する（ステップＳ１３０２）。
【０１０３】
前記ステップＳ１３０２で確認した結果が光ディスクに記録されたコンテンツではない場合は、要求されたコンテンツが内蔵の記録媒体１０２に記録されたコンテンツか否かを調査する（ステップＳ１３０３）。その結果、内蔵の記録媒体１０２に記録されたコンテンツではない場合、携帯端末１２００に対してコンテンツ配信不可である情報と必要に応じて不可原因を送信し、処理を終了する（ステップＳ１３０５）。内蔵の記録媒体１０２に記録されたコンテンツである場合は、ステップＳ１３０６に遷移する。
【０１０４】
前記ステップＳ１３０２で確認した結果が光ディスクに記録されたコンテンツである場合、携帯端末１２００が宅外にあるか宅内にあるかを判定する（ステップＳ１３０４）。その結果、携帯端末１２００が宅外にある場合、携帯端末１２００に対してコンテンツ配信不可である情報と必要に応じて不可原因を送信し、処理を終了する（ステップＳ１３０５）。携帯端末１２００が宅内にある場合、ステップＳ１３０６へ遷移する。
【０１０５】
携帯端末１２００が宅内にあるか宅外にあるかの判定は、コンテンツ配信装置１００において、コンテンツ配信装置１００と携帯端末１２００との間での実行した前記認証処理が宅内用であるか宅外用であるかで判断する方法や、コンテンツ配信装置１００から送信した情報に対して携帯端末１２００が応答するまでの時間を計測し、所定の時間を閾値として判定する方法、受信するパケットのＩＰアドレスがローカルアドレスであるか判定する方法などがある。なお、本実施例では上記判定方法は、認証部203やネットワーク処理部206が判定することとなる。
【０１０６】
前記ステップＳ１３０３及び前記ステップＳ１３０４で、要求されたコンテンツが内蔵の記録媒体１０２内のコンテンツである場合、あるいは、携帯端末１２００が宅内に存在する場合には、該要求コンテンツをストレージ制御部２００によって読み出し、コンテンツ送信部２０２によって送信し、ネットワーク通信処理部２０６を介して、要求元であるコンテンツ携帯端末１２００へ送信する（ステップＳ１３０６）。ここで、前記読み出した要求コンテンツは、必要に応じてトランスコード処理部２０７で前記携帯端末１２００が受信可能な形式にトランスコードした後、あるいはトランスコードしながら送信する。また、要求コンテンツが著作権保護すべきコンテンツである場合は、前記読み出した要求コンテンツあるいはトランスコード後／トランスコード中の要求コンテンツを、ＤＴＣＰ−ＩＰ規格に準拠した形式で前記ステップＳ１３０１の認証処理で共有した鍵情報を元に、読み出されたコンテンツを暗号化部２０７によって暗号化して送信する。
【０１０７】
ステップＳ１３０４及びステップＳ１３０５において、携帯端末１２００が宅外に存在する場合には、コンテンツ配信装置１００は受信したコンテンツ配信要求に対して要求コンテンツを配信せず、コンテンツ配信不可情報を携帯端末１２００へ送信することによって、要求コンテンツが著作権保護すべきコンテンツであった場合に、不正コピーを防止することが出来、確実にコンテンツの著作権者の権利を守ることができる。
【０１０８】
図１４は、図３のステップＳ３０１のコンテンツリスト生成・配信処理を詳細に説明したフローチャートである。
【０１０９】
コンテンツ配信装置１００は、携帯端末１２００からインターネットを介してコンテンツリスト取得要求を受信する（ステップＳ１４０１）。
【０１１０】
これに対して、コンテンツ配信装置１００は、光ディスクドライブ１０１に光ディスクが装填されているか否かを調査する（ステップＳ１４０２）。
【０１１１】
その結果、光ディスクが光ディスクドライブ１０１内に装着されていない場合は、ステップＳ１４０５に遷移し、内蔵の記録媒体１０２内に記録されているコンテンツに関する情報を収集する。
【０１１２】
一方、光ディスクドライブ１０１に光ディスクが装填されている場合は、光ディスク内のコンテンツが著作権保護すべきコンテンツか否かを判定する（ステップＳ１４０３）。光ディスク内のコンテンツが著作権保護すべきコンテンツではない場合、ステップＳ１４０５に遷移する。光ディスク内のコンテンツが著作権保護すべきコンテンツである場合、携帯端末１２００が宅外にあるか宅内にあるかを調査する（ステップＳ１４０４）。その結果、携帯端末１２００が宅内にある場合、光ディスクドライブ１０１に装着されている光ディスク内に記録されているコンテンツに関する情報を収集する（ステップＳ１４０５）。携帯端末１２００が宅外にある場合、ステップＳ１４０６に遷移する。
【０１１３】
光ディスク内に記録されているコンテンツが著作権保護すべきコンテンツか否かを判定する手法としては、コンテンツに記録されているCCI（Ｃｏｐｙ  Ｃｏｎｔｒｏｌ  Ｉｎｆｏｒｍａｔｉｏｎ）を参照する方法がある。また、例えばCCIが含まれていない場合は、著作権保護対象外のコンテンツとして扱う。
【０１１４】
ステップＳ１４０６では、内蔵の記録媒体１０２内に記録されているコンテンツに関する情報を収集する。
【０１１５】
そして、前記ステップＳ１４０５及びステップＳ１４０６で収集した情報を元にコンテンツリストを生成する（ステップＳ１４０７）。
【０１１６】
最後に携帯端末１２００に対してコンテンツリストを送信する（ステップＳ１４０８）。
【０１１７】
以上により、光ディスク内のコンテンツが著作権保護すべきコンテンツであり、携帯端末１２００が宅外に存在する場合には、コンテンツリストに光ディスク内コンテンツを含めないことによって、著作権保護対象コンテンツの不正コピーを防止することが出来、確実にコンテンツの著作権者の権利を守ることができる。また、携帯端末１２００からは光ディスク内のコンテンツが選択できないため、ユーザが希望のコンテンツを選択したにもかかわらず、選択したコンテンツを視聴できないという事態を防ぐことが出来る。
本実施例では、携帯端末１２００が宅内にある場合には、著作権保護対象コンテンツ、著作権保護対象外コンテンツに関わらず、光ディスク内コンテンツをコンテンツリストに含め、携帯端末１２００が宅外にある場合には、
著作権保護対象コンテンツはコンテンツリストに含めず、著作権保護対象外コンテンツはコンテンツリストに含めるコンテンツ配信装置に関して説明した。なお、著作権保護対象コンテンツはコンテンツリスト含めた上で選択できないリストとして表示しても構わない。
一方、別の実現方法として、携帯端末１２００が宅外にある場合に、光ディスク内の著作権保護対象コンテンツであっても、デジタル放送などを家庭用レコーダ装置などで記録したコンテンツはコンテンツリストに含み、映画やコンサート映像などがあらかじめ記録されたセルＢＤ／ＤＶＤ内のコンテンツはコンテンツリストに含まないとしてもよい。
デジタル放送を記録したコンテンツか、セルディスクのコンテンツかの判定は記録メディアの種類で判別することが可能である。例えば、ＤＶＤの場合、デジタル放送はＤＶＤ−Ｒ／ＤＶＤ−ＲＷ／ＤＶＤ＋Ｒ／ＤＶＤ＋ＲＷ／ＤＶＤ−ＲＡＭなどに記録されるが、セルＤＶＤはＤＶＤ−ＲＯＭのみである。ＢＤの場合は、デジタル放送はＢＤ−Ｒ／ＢＤ−ＲＥに記録されるが、セルＢＤはＢＤ−ＲＯＭのみである。
【０１１８】
以上により、光ディスク内のコンテンツがセルＢＤ／ＤＶＤのコンテンツであり、携帯端末１２００が宅外に存在する場合には、コンテンツリストにセルＢＤ／ＤＶＤコンテンツを含めないことによって、著作権保護対象コンテンツの不正コピーを防止することが出来、確実にコンテンツの著作権者の権利を守ることができる。また、携帯端末１２００からは光ディスク内のコンテンツが選択できないため、ユーザが希望のコンテンツを選択したにもかかわらず、選択したコンテンツを視聴できないという事態を防ぐことが出来る。さらに、レコーダ装置などで記録したデジタル放送コンテンツはコンテンツリストに含まれるため、携帯端末１２００のユーザにとって視聴可能コンテンツが増えるという効果が得られる。
さらに、携帯端末１２００が宅外にある場合に、セルＢＤ／ＤＶＤのコンテンツをＭａｎａｇｅｄ  Ｃｏｐｙを用いてＨＤＤなどの内蔵の記録媒体１０２へコピーしたコンテンツも、コンテンツリストに含まないとしても良い。Ｍａｎａｇｅｄ  Ｃｏｐｙとは、光ディスクドライブを搭載した装置がインターネット上にある外部のサーバと認証を行い、セルＢＤ／ＤＶＤのコンテンツをコピーすることを可能にする規格である。
Ｍａｎａｇｅｄ  Ｃｏｐｙされたコンテンツの判定は、コピー実行時、コピー先コンテンツ自体にＭａｎａｇｅｄ  Ｃｏｐｙされたことを示すフラグ情報を埋め込む方法が考えられる。例えば、コピー先コンテンツがＭＰＥＧ２  ＳＹＳＴＥＭ規格に準拠した動画ファイルであるならば、ＰＭＴ（Ｐｒｏｇｒａｍ  Ｍａｐ  Ｔａｂｌｅ）パケットのＤｅｓｃｒｉｐｔｏｒ領域にフラグ情報を埋め込めばよい。または、コピー先コンテンツ自体とは別にコンテンツ管理情報としてＭａｎａｇｅｄ  Ｃｏｐｙされたことを示す情報を持たせる方法もある。
【０１１９】
以上により、携帯端末１２００が宅外に存在する場合に、コンテンツリストにセルＢＤ／ＤＶＤのコンテンツをＭａｎａｇｅｄ  Ｃｏｐｙを用いてコピーしたコンテンツを含めないことによって、著作権保護対象コンテンツの不正コピーを防止することが出来、確実にコンテンツの著作権者の権利を守ることができる。
【０１２０】
なお、本発明は上記した実施例に限定されるものではなく、様々な変形例が含まれる。例えば、上記した実施例は本発明をわかりやすく説明するために詳細に説明したものであり、必ずしも、説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【０１２１】
例えば、実施例１の図１、図２、実施例４の図１２で示したホームネットワーク、コンテンツ配信装置、コンテンツ受信装置の構成は、あくまで一例でありこの配置を限定するものではない。たとえば、図１５は図２のコンテンツ配信装置１００を拡張し、ストレージを搭載したＴＶを想定した場合の図である。コンテンツ配信装置１００は図２で示した構成に加えて、チューナ１５００、映像音声デコーダ１５０１、デジタル入出力制御部１５０２、アナログ入出力制御部１５０３を備える。
【０１２２】
チューナ１５００はデジタル放送波を受信し、映像音声デコーダ１５０１へ入力できるフォーマットに復号し、映像音声デコーダ１５０１へ入力する。映像音声デコーダ１５０１へ入力できるフォーマットとしては、ＭＰＥＧ２やＨ．２６４などがある。また、ストレージ制御部２００と接続されており、放送コンテンツを光ディスクドライブ１０１に装填された光ディスク或いは記録媒体１０２に記録することも可能である。映像音声デコーダ１５０１では、チューナ１５００から受け取った映像音声データを復号し、デジタル入出力制御部１５０２またはアナログ入出力制御部１５０３を介して接続された表示装置に映像を再生する。デジタル入出力制御部１５０２としては、ＨＤＭＩやＤＶＩなどのケーブル・端子に対応する。また、アナログ入出力制御部１５０３としてはＲＣＡ端子やＤ端子などのケーブル・端子に対応する。
【０１２３】
図１６も図１５と同様に図２のコンテンツ受信装置１０３及び１０４を拡張し、ＴＶを想定した場合の図である。コンテンツ受信装置１０３及び１０４は図２で示した構成に加えて、チューナ１６００を備える。それぞれの構成要素の機能は図１５と同様である。なお、上記各実施例では、正規ユーザと非正規ユーザとの区別の一例として宅内か宅外かで判断したが、例えば正規のユーザであれば宅外であっても著作権保護コンテンツのリスト表示や配信を認めることも可能である。一方、ビルなどの施設を考えた場合、たとえ同じ敷地内であっても非正規のユーザには、著作権保護コンテンツのリスト表示や配信を制限することもできる。正規のユーザか否かの判定には、上記実施例とは異なる方法、例えば、パスワード認証などの方法を用いて判定する。
【０１２４】
また、図５、図７で示した、コンテンツ受信装置への表示例はあくまで一例であり、表示内容を限定するものではない。本発明の要旨を逸脱しなければ、構成や画面例を変更することはかまわない。また、実施例１の図３、図４、図６、実施例２の図８、実施例３の図９、図１０、図１１、実施例４の図１３、図１４のフローチャートはあくまで一例であり、処理内容を限定するものではない。処理の項目数の増減、処理の順番等は本発明の要旨を逸脱しなければ変更してかまわない。
【符号の説明】
【０１２５】
１００・・・コンテンツ配信装置、１０１・・・光ディスクドライブ、
１０２・・・内蔵記録媒体、１０３・・・コンテンツ受信装置、
１０４・・・コンテンツ受信装置、１０５・・・ネットワーク、
２００・・・ストレージ制御部、２０１・・・再生情報生成部、
２０２・・・コンテンツ送信部、２０３・・・認証部、２０４・・・鍵生成部、
２０５・・・暗号化部、２０６・・・ネットワーク通信処理部、
２０７・・・トランスコード処理部、２０８・・・セキュア領域、
２０９・・・ネットワーク通信処理部、２１０・・・認証部、２１１・・・鍵生成部、
２１２・・・復号化部、２１３・・・再生情報取得部、２１４・・・コンテンツ受信部、
２１５・・・映像音声デコーダ、２１６・・・デジタル入出力制御部、
２１７・・・アナログ入出力制御部、５００・・・ルートコンテナ、
５０１・・・ビデオコンテナ、５０２・・・写真コンテナ、５０３・・・ＨＤＤコンテナ，
５０４・・・コンテンツ名（サッカー）、５０５・・・ＢＤ／ＤＶＤコンテナ、
５０６・・・コンテンツ名（チャプタ１）、１５００・・・チューナ、１５０１・・・映像音声デコーダ、
１５０２・・・デジタル入出力制御部、１５０３・・・アナログ入出力制御部、
１６００・・・チューナ
【図１】
2012256994.tif 000003
【図２】
2012256994.tif 000004
【図３】
2012256994.tif 000005
【図４】
2012256994.tif 000006
【図５】
2012256994.tif 000007
【図６】
2012256994.tif 000008
【図７】
2012256994.tif 000009
【図８】
2012256994.tif 000010
【図９】
2012256994.tif 000011
【図１０】
2012256994.tif 000012
【図１１】
2012256994.tif 000013
【図１２】
2012256994.tif 000014
【図１３】
2012256994.tif 000015
【図１４】
2012256994.tif 000016
【図１５】
2012256994.tif 000017
【図１６】
2012256994.tif 000018